(57)【要約】【課題】  中心となるロールにろ布を複数回掛け回して高圧搾を付与するベルトプレスに関し、加圧工程時にスムーズに走行し、ろ布からのサイドリークを防止するベルトプレスを提供する。【解決手段】  中心ロール１に回帰ロール５を介して多重に掛け回した高圧搾型のベルトプレスにおいて、中心ロール１に複数回巻き掛けたろ布２，２間に複数の間接ロール６…を配設し、間接ロール６の周面に弾性材１２を被覆し、圧搾工程の上流側の間接ロール６の表面幅方向に凹凸を形成し、最も排出側の間接ロール６の幅方向の両端部の径を大きくして幅方向の中央部の軸芯１１と中心ロール１との間に隙間を設けたもので、高圧搾となる間接ロール６に工夫を施して、間接ロール６での急激な圧力上昇を防止し、低含水率の脱水ケーキの生成を可能となる。【選択図】  図１
2016073923.tif 000002
【特許請求の範囲】
【請求項１】
ろ布（２）間に汚泥を供給して多数並列したロールに走行自在に掛け回して圧搾脱水するベルトプレスにおいて、
中心ロール（１）に巻き掛けたろ布（２）を回帰ロール（５…）で折り返して、
中心ロール（１）とろ布（２）の間に回帰させることで、
中心ロール（１）にろ布（２）を複数回巻き掛け、
中心ロール（１）方向にろ布（２）の押しつけ力を付与して圧搾力を高めるとともに、
中心ロール（１）に複数回巻き掛けたろ布（２）間に複数の間接ロール（６…）を配設し、
間接ロール（６…）の周面に弾性材（１２）を被覆し、
圧搾工程の上流側の間接ロール（６ｃ１，６ｃ２…）の表面幅方向に凹凸を形成し、
最も排出側の間接ロール（６ｃｎ）の幅方向の両端部の径を大きくして幅方向の中央部の軸芯（１１）と中心ロール（１）との間に隙間を設けた
ことを特徴としたベルトプレス。
【請求項２】
前記弾性材（１２）を間接ロール（６）の直径の１．５〜２．５倍のパイプ状で形成して間接ロール（６）に遊挿した
ことを特徴とした請求項１に記載のベルトプレス。
【請求項３】
前記間接ロール（６ｃ１）の凹凸と位相を対称にした凹凸を形成した間接ロール（６ｃ２）を後方に配設した
ことを特徴とした請求項１または２に記載のベルトプレス。
【請求項４】
前記中心ロール（１）と回帰ロール（５…）との間の無加圧部に加圧部材（１４）を配設する
ことを特徴とした請求項１〜３の何れか１項に記載のベルトプレス。
【請求項５】
前記中心ロール（１）と回帰ロール（５…）との間の無加圧部に案内ロール（１０）を配設する
ことを特徴とした請求項１〜４の何れか１項に記載のベルトプレス。
【請求項６】
前記中心ロール（１）の前段に、外周面の幅方向に沿って複数の凸条（１３…）を設けたせん断ロール（４）を配設した
ことを特徴とした請求項１〜５の何れか１項に記載のベルトプレス。
【発明の詳細な説明】
【技術分野】
【０００１】
本発明は、ろ布の張力を加圧機構の押しつけ力に利用し、中心となるロールにろ布を複数回掛け回すことで、押しつけ力を高めて高圧脱水を行うベルトプレスに関する。
【背景技術】
【０００２】
従来、ろ布をロールに掛け回して脱水するベルトプレスは、ロールを縦横に数多く並べてそれらにろ布を掛け回したタイプや、大径のロールにろ布を掛けてその上から加圧ベルトや加圧ロール等の加圧装置で押し付けるものがある。
また、特許文献１には中心ロールの周りに掛け回したろ布を折り返し、加圧ロールを介在させて再び中心ロールに掛け回すことで、折り返したろ布が加圧ロールに張力を伝えて加圧力の調整を行うベルトプレスが開示されている。
【先行技術文献】
【特許文献】
【０００３】
【特許文献１】特公昭５７−１８４５００
【発明の概要】
【発明が解決しようとする課題】
【０００４】
従来のベルトプレスは、ロール巻き掛け部のせん断力や面圧、ろ布張力による脱水を行うため、ロールを数多く配設している。また、脱水時間を確保するためにはロール本数を増やし、ろ布の長さを長大とする必要があり、装置寸法も大きくなっていた。加圧ベルトのような加圧装置については装置が複雑となり、価格も含めメンテナンス費・消耗品費が高価となってしまう。また、ろ過性能についても従来のベルトプレスでは加圧力が小さく、十分といえるものではなかった。
【０００５】
特許文献１に開示されているベルトプレスは１枚のろ布とロールに汚泥を挟んで脱水するもので、メインロールに当接している部分でしか脱水することができない。よって、最終段加圧ロールから折り返すと装置の機構上、ケーキは排出するしかない。従って、脱水時間はろ布とロールが当接している時間となるため短時間であり、十分な脱水が行えない。
脱水の過程では、加圧ロールが当接する場所から急激に圧力が大きくなるため、含水率が高い汚泥に高圧の圧搾を加えることとなり、サイドリークが発生する。よって、低圧から高圧の圧搾力を加圧して徐々に脱水するような理想的な脱水は行えない。
【０００６】
本発明は、中心となるロールにろ布を複数回掛け回して高圧搾を付与するベルトプレスに関し、加圧工程時にスムーズに走行し、ろ布からのサイドリークを防止するベルトプレスを提供する。
【課題を解決するための手段】
【０００７】
本発明のベルトプレスは、ろ布間に汚泥を供給して多数並列したロールに走行自在に掛け回して圧搾脱水するベルトプレスにおいて、中心ロールに巻き掛けたろ布を回帰ロールで折り返して、中心ロールとろ布の間に回帰させることで、中心ロールにろ布を複数回巻き掛け、中心ロール方向にろ布の押しつけ力を付与して圧搾力を高めるとともに、中心ロールに複数回巻き掛けたろ布間に複数の間接ロールを配設し、間接ロールの周面に弾性材を被覆し、圧搾工程の上流側の間接ロールの表面幅方向に凹凸を形成し、最も排出側の間接ロールの幅方向の両端部の径を大きくして幅方向の中央部の軸芯と中心ロールとの間に隙間を設けたもので、高圧搾となる間接ロールに工夫を施して、間接ロールでの急激な圧力上昇を防止し、低含水率の脱水ケーキの生成を可能とする。
【０００８】
弾性材を間接ロールの直径の１．５〜２．５倍のパイプ状で形成して間接ロールに遊挿すれば、圧搾圧に適宜対応できるため、弾性材を交換せずに汚泥性状の変動にも対応できる。また、間接ロールの凹凸と位相を対称にした凹凸を形成した間接ロールを後方に配設すれば、高圧搾時に汚泥に対して立体的に圧力を付与することが可能で、間接ロールでの圧力を分散できる。さらに、前記中心ロールと回帰ロールとの間の無加圧部に加圧部材を配設すると、各ロールで脱水されたろ液（水分）の流下により、無加圧部の汚泥がろ液を吸収して含水率が上昇することを防止できる。
【０００９】
中心ロールと回帰ロールとの間の無加圧部に案内ロールを配設すると、回帰ロールを必要な位置に配設し、全体構成を小型化できる。また、前記中心ロールの前段に、外周面の幅方向に沿って複数の凸条を設けたせん断ロールを配設すると、せん断ロールでろ布に供給した汚泥に対する急激な圧縮を防止し、ろ布からのサイドリークを予防するとともに、汚泥の搬送量を増加できる。
【発明の効果】
【００１０】
中心ロールに当接したろ布は、間接ロールが中心ロールの中心から放射線状に移動自在なため、ろ布によって間接ロールに押しつけ力が加えられる。同様にして、中心ロールに回帰させたろ布を何度も巻き掛けることで、中心ロールに当接したろ布には巻き掛けたろ布の数だけ、更に押しつけ力を加えることができる。従って、外側に巻き掛けてあるろ布が内側に巻き掛けてあるろ布へ押しつけ力を与えるため、外側から内側にかけて次第に圧力が上昇しており、中心ロールに巻き掛けてあるろ布は最も高い圧力で圧搾される。徐々に圧力を大きくしてゆく脱水となるため、サイドリークが発生せず、理想的な脱水が行える。
【００１１】
中心ロールに巻き掛けてあるろ布は、巻き掛ける回数を増やすごとにろ布走行時間を延長することができ、その他のロールを多数配設してろ布走行時間を確保する必要がなくなる。従って、装置がコンパクトになり、ろ布も短くなる。また、中心ロールに掛け回したろ布とろ布の間には、対向走行するろ布同士の接触を防止する間接ロールを配設するため、ろ布はスムーズに走行する。
【００１２】
間接ロールの周面に弾性材を被覆すると、圧力による変形でろ布との接触箇所が面接触となり、圧搾工程において急激な圧力上昇を防止できる。また、上流側の間接ロールの周面に凹凸を形成すると、汚泥にかかる圧力を分散して間接ロールの線圧による急激な圧力上昇を防止することができる。さらに、圧搾部の最も排出側の間接ロールの中央部に凹部を形成すると、ろ布にかかる圧力を軽減し、汚泥の後退を防止することができる。
【図面の簡単な説明】
【００１３】
【図１】本発明に係る多重掛けのベルトプレスの概略側面図である。
【図２】同じく、中心ロール近傍の拡大図である。
【図３】同じく、間接ロールの拡大断面図である。
【図４】本発明に係る多重掛けのベルトプレスの要部側面図である。
【図５】同じく、せん断ロールの拡大図である。
【図６】同じく、回帰工程と加圧工程との間の無加圧部の詳細図である。
【図７】同じく、圧搾工程の間接ロールの要部側面図である。
【図８】同じく、圧搾工程の間接ロールの正面図である。
【図９】同じく、排出側の間接ロールの正面図である。
【図１０】同じく、１枚のろ布で形成したろ過空間の断面図である。
【図１１】同じく、間接ロールを支持するフレームの側面図である。
【発明を実施するための形態】
【００１４】
本発明のベルトプレスは、上下一対のろ布と、ろ布を無端状に張設する複数のロールと、これらを支持するフレームより構成され、一対のろ布間で汚泥を脱水するものである。中心ロールにろ布を円弧状に複数回掛け回すことで、高い圧力を掛けながら脱水できる機構を備えている。複数回掛け回したろ布とろ布の間には、対向走行するろ布同士の接触を防止する間接ロールが配設されている。間接ロールは中心ロールの中心から放射線状に移動自在で、間接ロールに掛け回したろ布の押しつけ力を内側のろ布へ伝え、圧力をかける。ろ布は間接ロールに巻き掛けたろ布から中心ロールに巻き掛けたろ布へ向かうように走行させて脱水を行う。
【００１５】
図１は本発明に係る多重（４重）掛けのベルトプレスの概略側面図である。中心ロール１にろ布２を多重に掛けるベルトプレスは、汚泥を供給する汚泥供給部３と、汚泥を挟んで脱水する上下一対の無端状のろ布２，２と、ろ布２を四回掛け回す中心ロール１と、ろ布２を中心ロール１に案内するせん断ロール４と、ろ布２を中心ロール１に向かって回帰させるために巻き掛ける回帰ロール５（５ａ〜５ｃ）と、中心ロール１上を多重に対向して走行するろ布２間に配設する間接ロール６（６ａ〜６ｃ）と、ろ布２から汚泥を剥離する剥離ロール７，７と、汚泥を排出する排出部８と、ろ布２のテンションを調整する緊張ロール９と、で構成される。
【００１６】
図２は中心ロール近傍の拡大図である。中心ロール１にろ布２を多重に掛けると、その分だけ回帰ロール５の設置数も増加する。回帰ロール５の径を小さくすると回帰ロール５部のせん断作用が中心ロール１部の加圧作用以上の加圧力となるため、段階的に加圧力を付与するためにある程度の径が必要となる。
【００１７】
中心ロール１の両側（本実施例では上下）に複数の回帰ロール５…を干渉しない位置に配設するためには所定のスペースが必要となる。必要に応じて中心ロール１と回帰ロール５との間に案内ロール１０を配設し、ろ布２の走行進路を変更することで回帰ロール５を必要な位置に配設し、全体構成を小型化できる。
【００１８】
図１の４重掛けのベルトプレスについて詳述する。間接ロール６は中心ロール１の周辺に沿って三段で構成し、外側から一段目を間接ロール６ａ、二段目を間接ロール６ｂ、三段目を間接ロール６ｃとする。
【００１９】
上下一対の無端状の重なり合ったろ布２はせん断ロール４に巻き掛け、次に中心ロール１周辺に配設した間接ロール６ａに当接して巻き掛けてある。間接ロール６ａに巻き掛けたろ布２は、続けて回帰ロール５ａに巻き掛ける。回帰ロール５ａに巻き掛けたろ布２は中心ロール方向に回帰させて間接ロール６ａより内側に配設した間接ロール６ｂに巻き掛ける。この時、ろ布２は間接ロール６ａの中心ロール１側を通るように走行させる。
【００２０】
同様に、間接ロール６ｂに巻き掛けたろ布２を回帰ロール５ｂに巻き掛けて回帰させた後、間接ロール６ｂの内側に配設した間接ロール６ｃに巻き掛ける。ここでもろ布２は間接ロール６ｂの中心ロール１側を通るように走行させ、ろ布２を間接ロール６ｂ、間接ロール６ｃ間で挟持するよう走行させる。
【００２１】
そして、間接ロール６ｃに巻き掛けたろ布２は回帰ロール５ｃに巻き掛け、回帰させて中心ロール１に当接して巻き掛ける。中心ロール１に巻き掛けたろ布２は間接ロール６ｃの中心ロール１側を通るよう走行させ、ろ布２は間接ロール６ｃと中心ロール１で挟持するよう走行させる。
【００２２】
中心ロール１に当接した一対のろ布２はケーキ排出部８で離間し、それぞれ剥離ロール７，７に巻き掛けられ、適宜配設した案内ロール１４…を介して無端状に走行させる。
【００２３】
ろ布２を走行させ、各間接ロール６ａ、６ｂ、６ｃが中心ロール１の中心から放射線状に移動自在に配設した際の、ろ布２の張力は、それぞれ間接ロール６ａ、６ｂ、６ｃを介して中心ロール１側を走行するろ布２に押しつけ力を伝える。
【００２４】
≪間接材≫
図３は間接ロールの拡大断面図である。間接ロール６は、回転自在で軸芯１１の周面に弾性材１２を被覆した円筒状のロールを用いる。間接ロール６の回転方向がろ布２の走行方向と一致しているため、ろ布２の摩擦は極めて軽減される。また、間接ロール６で構成されるろ布２間の隙間からろ液が排出されることもあり、対向走行するろ布の接触を防止できる径の複数のロールを間接ロール６として用いることが好ましい。間接ロール６は中心ロール１の中心から放射線状に移動自在に配設してある。そのため、間接ロール６の外側を走行するろ布張力により、間接ロール６を介して中心ロール１に当接したろ布２に圧力を加える。従って、中心ロール１に当接したろ布２では、中心ロール１の面圧と共に、間接ロール６の押しつけ力による線圧も加わるため、高圧の脱水が行われる。
【００２５】
このとき、間接ロール６の周面に被覆している弾性材１２は、ろ布２の張力によって変形しつつ回転する。具体的には、ろ布２の走行方向に沿って楕円形となるので、ろ布２と間接ロール６の接触面にて急激な圧力上昇となることがない。円形状のロールではろ布２との接触部が線状となり急激な圧力を付与させて汚泥の通過が困難になることもあるが、楕円状ではろ布２との接触面積が広くなり急激な圧力上昇がない。したがって、高い圧力を付与させつつ間接ロール６，６間のろ布２の通過が容易となる。
【００２６】
また、本発明では間接ロール６の移動方向を放射線状としているが、移動方向としては放射曲線状等でもよく、間接ロール６が中心ロール１の円周面から離接自在であればどのような移動方向としてもよい。
【００２７】
複数の間接ロール６・・・は狭い間隔で配設することで、間接ロール６による面圧が連続で加わり、中心ロール１に当接したろ布２に掛ける圧力を均一にすることができる。間接ロール６を円周方向に多く配設し、ろ布２と当接する区間を長くすると長時間圧搾が可能なため、脱水性の悪い汚泥などに適した運転ができる。このように、間接ロール６の大きさ、配設間隔等は処理汚泥に応じて適宜変更することができる。
【００２８】
また、間接ロール６が移動自在であるため、ろ布２を各ロールに巻き掛ける際などの作業性は良い。間接ロール６の移動は支持しているフレーム１５で制限されるが、ろ布２と供給する汚泥の厚み分移動できるように支持すれば本発明の作用効果が得られる。
【００２９】
間接ロール６の周面に被覆させる弾性材１２として、合成ゴム、合成樹脂等の材料を用いることができるが、ろ布２の張力により変形しつつ広い面積で接触するような復元性がある材料であれば限定しない。また、弾性材１２の弾性力、被覆厚等は原液性状等の脱水条件に応じて適宜選択できる。
なお、間接ロール６の直径の１．５〜２．５倍程度のパイプ状の弾性材を、間接ロール６の軸芯１１に遊挿してもよい。
【００３０】
各段の間接ロール６ａ、６ｂ、６ｃはロールによる面圧を連続的に掛けるため、千鳥状に配設する。なお、原液性状等の脱水条件に応じて、間接ロールを並列状に配設する等、配置位置、配設数等を適宜選択できる。
【００３１】
中心ロール１周辺を走行するろ布２は、それぞれ間接ロール６ａ、６ｂ、６ｃに巻き掛けた外側のろ布２から、中心ロール１に当接したろ布２に向かって脱水しながら走行する。外側のろ布２はそれぞれ間接ロール６ａ、６ｂ、６ｃを介して内側のろ布２へ押しつけ力を掛けるため、中心ロール１に当接したろ布２に近づくほど外側のろ布２の押しつけ力が加わり、高い圧力が掛けられている。従って低い圧力から徐々に高い圧力で脱水するようになるため、急激に圧力を掛けた際に生じるサイドリークが発生せず、適切な脱水を行える。
【００３２】
≪４重掛け詳細≫
図４は本発明に係る多重（４重）掛けのベルトプレスの要部側面図である。本発明のベルトプレスの中心ロール１に掛け回したろ布２は、ろ過工程Ａ、加圧工程Ｂ、回帰工程Ｃ、圧搾工程Ｄを具備する。これらのろ布２は一対の無端状ろ布２が重なり合って構成されており、ろ布２間には汚泥が供給されている。
【００３３】
ろ過工程Ａでは、汚泥供給部３より供給された汚泥をろ布２で挟持してせん断ロール４に掛け回してある。一対のろ布２はせん断ロール４に近づくにつれ漸近するため、流動性の高い汚泥であっても徐々にろ過される。せん断ロール４に巻き掛けた一対のろ布２，２において、内周するろ布２の走行速度が速いことから内部にせん断力が生じている。従って、ろ過工程Ａでは、せん断ロール４による面圧とろ布２のせん断力が掛かり、汚泥の液分がろ布２を通して外部に排出される。
せん断ロール４の径は後段の圧搾工程に必要な含水率や原液性状に応じて適宜設定する。
【００３４】
≪せん断ロール≫
図５はせん断ロールの拡大図である。せん断ロール４でろ布２に供給した汚泥に対する急激な圧縮を防止し、ろ布２からのサイドリークを予防するため、せん断ロール４の外周面の幅方向に沿って複数の凸条１３…を設けている。凸条１３は所定の間隔で複数配設しており、ろ布２は凸条１３の先端部に接しつつ中心ロール１に送られる。凸条１３に接している箇所は、汚泥が圧縮されてろ過される。凸条１３に接していない部分は、移動してくる汚泥により若干圧力が強まるとともに、ろ布２にかかる張力が作用して汚泥に圧力を付与する。せん断ロール４で面圧ではなく線圧が汚泥にかかることになり、急激な圧縮作用を奏しない。したがって、ろ布２からのサイドリークを防止するとともに、汚泥の搬送量を増加できる。
【００３５】
加圧工程Ｂは、ろ布２を間接ロール６ａに巻き掛けてある工程を加圧工程Ｂ１とし、同様に間接ロール６ｂに巻き掛けてある工程を加圧工程Ｂ２、間接ロール６ｃに巻き掛けてある工程を加圧工程Ｂ３とする。
【００３６】
加圧工程Ｂ１では、せん断ロール４から案内されたろ布２を間接ロール６ａに巻き掛けてある。間接ロール６ａは中心ロール１の中心方向へ放射線状に移動自在に配設しているため、間接ロール６ａに掛かる押しつけ力は、間接ロール６ａを介して加圧工程Ｂ２のろ布２へ伝えられる。加圧工程Ｂ１ではろ布２に掛かる張力、せん断力、間接ロール６ａによる面圧によって脱水が行われる。
【００３７】
回帰工程Ｃ１では、間接ロール６ａに巻き掛けたろ布２を、回帰ロール５ａに巻き掛けて間接ロール６ｂに向かって回帰させる。回帰ロール５ａの外側から掛け回し、折り返したろ布２は間接ロール６ａの内側を通るように走行させる。
【００３８】
図６は回帰工程と加圧工程との間の無加圧部の詳細図である。加圧工程Ｂでは中心ロール１あるいは間接ロール６からの圧力により脱水され、回帰工程Ｃでは回帰ロール５によるせん断力により脱水される。その間はろ布２に張力が作用しており、ある程度の圧力が汚泥に作用しているものの、加圧工程Ｂ、回帰工程Ｃで作用する圧力より低い。そのため、各ロールで脱水されたろ液（水分）が流下してくると、この間の汚泥がろ液を吸収して含水率が上昇することがある。そこで、回帰工程Ｃから加圧工程Ｂの間の無加圧部に、ろ布２を加圧する加圧部材１４を配設する。
【００３９】
加圧部材１４としては無加圧部を加圧できるものであれば公知の技術を利用でき、例えば複数の小径ローラや板状部材で一方のろ布２を押圧してもよく、間接ロール６から回帰ロール５に拡開するろ布２，２間に摺接するような大径ローラを順次配設してもよい。
【００４０】
加圧工程Ｂ２では、回帰ロール５ａで回帰したろ布２を間接ロール６ｂに巻き掛けてある。ろ布２に掛かる張力、せん断力、間接ロール６ｂによる面圧が加わると共に、間接ロール６ａによる面圧と押しつけ力が加わり、加圧工程Ｂ１より高圧な脱水が行われている。
【００４１】
回帰工程Ｃ２では間接ロール６ｂに巻き掛けたろ布２を、回帰ロール５ｂに巻き掛けて間接ロール６ｃに向かって回帰してある。回帰ロール５ｂの外側から掛け回し、折り返したろ布２は間接ロール６ｂの内側を通るように走行させる。
【００４２】
加圧工程Ｂ３では、回帰ロール５ｂで回帰したろ布２を間接ロール６ｃに巻き掛けてある。ろ布２に掛かる張力、せん断力、間接ロール６ｃによる面圧が加わると共に、間接ロール６ｂによる面圧と押しつけ力と、間接ロール６ａの押しつけ力が加わり、加圧工程Ｂ２より高圧な脱水が行われている。
【００４３】
回帰工程Ｃ３では間接ロール６ｃに巻き掛けたろ布２を、回帰ロール５ｃに巻き掛けて中心ロール１に向かって回帰してある。回帰ロール５ｃの外側から掛け回し、折り返したろ布２は間接ロール６ｃの内側を通るように走行させる。
【００４４】
圧搾工程Ｄでは、回帰ロール５ｃから回帰したろ布２を中心ロール１に当接するよう巻き掛け、且つろ布２を中心ロール１と間接ロール６ｃに挟持されるよう走行させる。ろ布２は中心ロール１に巻き掛けたことで面圧を受け、更に加圧工程Ｂ１、Ｂ２、Ｂ３で掛けられる押しつけ力が間接ロール６ｃを押しつけるため、間接ロール６ｃによる面圧も加わる。加圧工程Ｂ１、Ｂ２、Ｂ３の押しつけ力は圧搾工程Ｄのろ布２にそのまま伝わり圧搾するため、圧搾工程Ｄでは脱水工程の中で最も高い圧力で脱水されている。
【００４５】
図７、８は圧搾工程の間接ロールの要部側面図および正面図である。前記で述べたように、中心ロール１と間接ロール６ｃとの間には大きな圧力が付与されており、回帰ロール５ｃを反転したろ布２内の汚泥が間接ロール６ｃに押し返され、スムーズにロール間に入っていかないことがある。そのため、高圧力が発生している中心ロール１に近い間接ロール６ｃについて、圧搾工程の上流側の間接ロール６ｃ１の表面幅方向に凹凸を形成する。
【００４６】
間接ロール６ｃの表面幅方向に凹凸を形成することで、ろ布２にかかる圧力を分散し、高い圧力が発生する圧搾工程Ｄの区間を容易に走行できる。ここで、間接ロール６ｃ１の後方でろ布２が次に接触する間接ロール６ｃ２に凹凸を形成し、さらに凹凸の位相を間接ロール６ｃ１と対称にすれば、圧搾工程の初期における圧力不均一を解消でき、効率的に脱水することができる。
なお、凹凸のピッチ、溝深さ等は原液性状等の脱水条件に応じて適宜選択する。
【００４７】
ろ液は各間接ロール６で形成された間隙や、中心ロール１と間接ロール６の微小な隙間から排出される。
【００４８】
図９は排出側の間接ロールの正面図である。最も圧力が高い中心ロール１周縁には、ろ布２の走行方向に沿って複数の間接ロール（６ｃ１，６ｃ２，…６ｃｎ）が配設されている。この間接ロール６ｃには高い圧力が付与されているので、汚泥性状によっては汚泥が間接ロール６ｃを通過できずに間接ロール６ｃ直前のろ過空間で滞留する。
【００４９】
そこで、圧力を軽減して汚泥の圧搾に支障がないように、最も排出側の間接ロール６ｃｎと中心ロール１の間の圧力を軽減する。具体的には、間接ロール６ｃｎの幅方向の両端部の径を大きくして中心ロール１に当接回転させることにより、幅方向の中央部の軸芯１１と中心ロール１との間に隙間を設ける。間接ロール６ｃｎの幅方向の径の拡大について、軸芯１１と一体的に形成する、軸芯１１の両端に円筒状の部材を嵌挿する、等の技術を用いることができる。
なお、径の拡大寸法、中心部の幅等は原液性状等の脱水条件に応じて適宜選択する。
【００５０】
圧搾工程Ｄを経たろ布２は離間して、それぞれ剥離ロール７にてケーキを剥離排出し、無端状となるよう案内ロール１４に巻き掛けられる。
【００５１】
なお、一対のろ布２，２に汚泥を供給した後、両端を折り返した状態で圧搾することで、サイドリークを発生し難い高圧搾用の構成としてもよい。また、図１０のように無端状の一枚のろ布２上に原液を供給し、幅方向両端を原液供給側に重ね合わせるように折り返すことでろ過空間を形成したベルトプレスを構成してもよい。
【００５２】
≪フレーム≫
図１１は本発明に係るベルトプレスの間接材を支持するフレームの側面図である。
フレーム１５は中心ロール１の左右に立設され、間接ロール６が中心ロール１の中心から放射線状に移動自在となるよう、間接ロール６の可動域に配設する。フレーム１５は、間接ロール６を挿入支持する放射線状の支持穴１６を有しており、間接ロール６が挿通自在、更に中心ロール１の中心から放射線状に移動自在に支持できる。
【００５３】
図示しないが、その他のベルトプレスの形態においても、それぞれ対応した支持穴１６をフレーム１５に形成することで間接ロール６を支持することができるため、同様のフレーム１５を利用することができる。
【００５４】
フレーム１５には間接ロール６が軸方向へ移動しないように保護板を設けてもよい。ベルトプレスの運転中にフレーム１５の外に保護板を配設することで、ろ布２の蛇行により間接ロール６が左右にずれることや、支持穴１６からの落下を防止することができる。また、保護板を着脱自在とすることで、メンテナンス時に取り外せば間接ロール６の装着、取り外しが容易に行える。アクリルガラス等の透過性を有する素材を用いると、ベルトプレス運転中に間接ロール６の不具合が早急に発見できる。
【００５５】
フレーム１５は間接ロール６を支持できるようなものであればどのようなものでもよいが、実施例でフレーム１５は平板状で中心ロール１の軸周辺に開口を設けているため、メンテナンス等の作業性がよくなっている。
【００５６】
この様なフレーム１５で間接ロール６を支持することにより、ろ布２による外側からの押しつけ力を中心ロール１方向に伝えることができる。
また、本実施例では支持穴１６が放射線状に形成されているが、支持穴１６を放射曲線状、あるいは平行状等、間接ロール７が中心ロール１の円周面から離接自在に支持できるのであればどのような支持穴１６でも構わない。
【産業上の利用可能性】
【００５７】
本発明に係るベルトプレスは、中心ロールにろ布を複数回掛け回すことで、掛け回されたろ布の押しつけ力により後段のろ布を加圧するベルトプレスである。一つの中心ロールに何度もろ布を掛け回すことにより、後段のろ布に高い脱水圧力を付与して低含水率の脱水ケーキを生成できる。少ないロール本数で脱水時間を確保することができるため装置がコンパクトとなり、産業用あるいは食品用等の汚泥処理や廃棄物処理に有用な高圧搾型ベルトプレスとなる。
【符号の説明】
【００５８】
１  中心ロール
２  ろ布
４  せん断ロール
５  回帰ロール
６  間接ロール
１０  案内ロール
１１  軸芯
１２  弾性材
１３  凸条
１４  加圧部材
【図１】
2016073923.tif 000003
【図２】
2016073923.tif 000004
【図３】
2016073923.tif 000005
【図４】
2016073923.tif 000006
【図５】
2016073923.tif 000007
【図６】
2016073923.tif 000008
【図７】
2016073923.tif 000009
【図８】
2016073923.tif 000010
【図９】
2016073923.tif 000011
【図１０】
2016073923.tif 000012
【図１１】
2016073923.tif 000013